(57)【要約】【課題】  無駄なスリープモードからの復帰等を無くし、スリープモードに入っている時間を長くする事で、省エネ効果を上げる。【解決手段】  ジョブの履歴や統計を元に、使用頻度の高いホストを特定し、ステータス要求が使用頻度の高いホストか否かで、スリープ制御を変更する。【選択図】  図１
2006334931.tif 000002
【特許請求の範囲】
【請求項１】
外部装置（ホストコンピュータ等）と接続して、データの交換及び画像データを入力する手段と、装置の消費電力を抑えるための省エネ手段と、前記外部装置からのプリント履歴を記憶する記憶手段とを備えたプリンティングシステムにおいて、前記外部装置からのプリント履歴及び統計に応じて、省エネモードからの復帰及び省エネモードに入るタイミングを制御する事を特徴としたプリンティングシステム。
【請求項２】
前記プリント履歴及び統計に応じて、ネットワーク上に接続された複数の外部装置（ホストコンピュータ等）を、使用頻度順にランク分けした事を特徴としたプリンティングシステム。
【請求項３】
前記ランク分けする順番を、外部装置（ホストコンピュータ等）及びパネル上から設定可能とした事を特徴としたプリンティングシステム。
【請求項４】
前記ランク分けした外部装置（ホストコンピュータ等）に応じて、省エネモードに入るタイミングを制御した事を特徴としたプリンティングシステム。
【請求項５】
前記ランク分けした外部装置（ホストコンピュータ等）に応じて、省エネモードを解除するタイミングを制御した事を特徴としたプリンティングシステム。
【発明の詳細な説明】
【技術分野】
【０００１】
本発明は、複数のホスト装置と省電力モードを有する複数の複合機及びプリンタ装置とを、ネットワークにより接続してなるプリンティングシステムに関するものである。
【背景技術】
【０００２】
近年データのデジタル化に伴い、パーソナルコンピュータ等をホスト装置に使用し、ホスト装置からの印字データ及び、印字制御データをネットワークを介して、複数の複合機やプリンタ装置に転送し、印字処理を行うシステムが知られている。
【０００３】
このようなシステムに組み込まれた複合機やプリンタ装置においては、装置が使用されていない場合の省エネルギーへの対応が強く望まれており、従来においては、複合機が使用されていない状態において、所定時間経過した後に自動的に複合機の有する定着器等の電力の通電をカットしたり、必要の無い回路の一部の通電を遮断する事で、複合機の消費している消費電力を低減し装置自体の省電力化を図っている。
【０００４】
また、このような省電力状態の複合機においては、ネットワークを介して外部装置（ホストコンピュータ等）から送信されるジョブを受け付ける事が出来るように、複合機のネットワークインターフェース部分は常時通電されており、外部装置からのジョブを受けた複合機は、省電力モードを解除して、ジョブの実行が可能となるように制御されている。
【０００５】
又、別の従来例としては、特許文献１及び特許文献２をあげることが出来る。
【特許文献１】特開平08-137637号公報
【特許文献２】特開平11-129581号公報
【発明の開示】
【発明が解決しようとする課題】
【０００６】
しかしながら、上記従来の複合機及びプリンタにおいては、ネットワークを介して複数接続された外部装置（ホストコンピュータ等）から送られる複数のステータス要求によって、省エネモードに入っていなければ、省エネモードに入るタイミングが取れず、また、省エネモードの状態ならば、頻繁に省エネモードから復帰されられる事により、無駄に電力を消費してしまうという問題かあった。
【課題を解決するための手段】
【０００７】
本発明は、複数のホスト装置と省電力モードを有する複数の複合機及びプリンタ装置とがネットワークで接続されたプリンタシステムに関するものであり、前記複合機及びプリンタ装置を利用した履歴及び統計を元に、頻繁に利用しているホスト装置と、殆ど利用していないホスト装置との区別を行う事により、省エネモードに入るタイミング及び復帰するタイミングを変更して制御する事で、電力消費を効率よく節減しようとしたものである。
【０００８】
例えば、プリンタ側が省エネ状態である時、頻繁に利用しているホスト装置からのステータス要求に対しては、直ぐに省エネ状態を解除し、プリント可能状態に移行する事により、ユーザの使い勝手をよくするが、殆ど利用していないホスト装置からのステータス要求に対しては、ステータスを返すのみで、省エネ状態を維持する。
【０００９】
同様に、プリンタ側が省エネ状態で無い時、頻繁に利用しているホスト装置からのステータス要求があった場合には、省エネ状態に移行するタイミングを遅延するが、殆ど利用していないホスト装置からのステータス要求に対しては、省エネ状態に移行するタイミングを遅延しないように制御する事により、ユーザの使い勝手を損なう事なく無駄な電力消費を抑える事が出来る。
【発明の効果】
【００１０】
以上説明したように、複数のホスト装置と省電力モードを有する複数の複合機及びプリンタ装置とがネットワークで接続されたプリンタシステムにおいて、前記複合機及びプリンタ装置を利用した履歴及び統計を元に、頻繁に利用しているホスト装置と、殆ど及び全く利用していないホスト装置との区別を行う事により、省エネモードに入るタイミング及び復帰するタイミングを変更して制御する事で、ユーザの使い勝手を損なう事なく無駄な電力消費を抑える事が出来る。
【発明を実施するための最良の形態】
【００１１】
次に、本発明の詳細を実施例の記述に従って説明する。
【実施例１】
【００１２】
本発明の実施例にかかわる画像入出力システムの全体構成を、図１を参照しながら説明する。
【００１３】
リーダー部（画像入力装置）200は、原稿画像を光学的に読み取り、画像データに変換する。リーダー部200は、原稿を読み取るための機能を持つスキャナユニット210と、原稿用紙を搬送するための機能を持つ原稿給紙ユニット250とで構成される。
【００１４】
プリンタ部（画像出力装置）300は、記録紙を搬送し、その上に画像データを可視画像として印字して装置外に排紙する。プリンタ部300は、複数種類の記録紙カセットを持つ給紙ユニット360と、画像データを記録紙に転写、定着させる機能を持つマーキングユニット310と、印字された記録紙をソート、ステイプルして機外へ出力する機能を持つ排紙ユニット370とで構成される。
【００１５】
制御装置110は、リーダー部200、プリンタ部300と電気的に接続され、さらにネットワーク400を介して、ホストコンピュータ401,402と接続されている。
制御装置110は、リーダー部200を制御して、原稿の画像データを読込み、プリンタ部300を制御して画像データを記録用紙に出力してコピー機能を提供する。また、リーダー部200から読取った画像データを、コードデータに変換し、ネットワーク400を介してホストコンピュータへ送信するスキャナ機能、ホストコンピュータからネットワーク400を介して受信したコードデータを画像データに変換し、プリンタ部300に出力するプリンタ機能を提供する。
【００１６】
操作部180は、制御装置110に接続され、液晶タッチパネルで構成され、画像入出力システムを操作するためのユーザI/Fを提供する。
【００１７】
外部入力装置501は、デジタル画像データを転送する為の装置であり、各種インターフェースを介して制御装置110に転送される。
【００１８】
図２はリーダー部200及びプリンタ部300の概観図である。リーダー部の原稿給送ユニット250は原稿を先頭順に１枚ずつプラテンガラス211上へ給送し、原稿の読み取り動作終了後、プラテンガラス211上の原稿を排出するものである。原稿がプラテンガラス211上に搬送されると、ランプ212を点灯し、そして光学ユニット213の移動を開始させて、原稿を露光走査する。この時の原稿からの反射光は、ミラー214、215、216及びレンズ217によってCCDイメージセンサ（以下CCDという）218へ導かれる。このように、走査された原稿の画像はCCD218によって読み取られる。
【００１９】
222はリーダー画像処理回路部であり、CCD218から出力される画像データに所定の処理を施し、スキャナI/Fを介して制御装置110へと出力するところである。
【００２０】
352はプリンタ画像処理回路部であり、プリンタI/Fを介して制御装置110から送られる画像信号をレーザードライバへと出力するところである。
【００２１】
プリンタ部300のレーザドライバ317はレーザ発光部313、314、315、316を駆動するものであり、プリンタ画像処理部352から出力された画像データに応じたレーザ光をレーザ発光部313、314、315、316を発光させる。このレーザ光はミラー340、341、342、343、344、345、346、347、348、349、350、351によって感光ドラム325、326、327、328に照射され、感光ドラム325、326、327、328にはレーザ光に応じた潜像が形成される。321、322、323、324は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２２】
用紙カセット360、361及び手差しトレイ362のいずれかより、レーザ光の照射開始と同期したタイミングで給紙された用紙は、レジストローラ333を経て、転写ベルト334上に吸着され、搬送される。そして、感光ドラム325、326、327、328に付着された現像剤を記録紙に転写する。現像剤の乗った記録紙は定着部335に搬送され、定着部335の熱と圧力により現像剤は記像紙に定着される。定着部335を通過した記録紙は排出ローラ336によって排出され、排紙ユニット370は排出された記録紙を束ねて記録紙の仕分けをしたり、仕分けされた記録紙のステイプルを行う。
【００２３】
また、両面記録が設定されている場合は、排出ローラ336のところまで記録紙を搬送した後、排出ローラ336の回転方向を逆転させ、フラッパ337によって再給紙搬送路338へ導く。再給紙搬送路338へ導かれた記録紙は上述したタイミングで転写ベルト334へ給紙される。
【００２４】
<リーダー画像処理部の説明>
図４はリーダー画像処理部222の詳細な構成を示すブロック図である。
【００２５】
このリーダー画像処理部222では、プラテンガラス211上の原稿はＣＣＤ218に読み取られて電気信号に変換される（ＣＣＤ218はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部222に入力され、クランプ＆Ａｍｐ．＆Ｓ／Ｈ＆Ａ／Ｄ部401でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部402で、シェーディング補正及び黒補正が施された後、制御装置110へと出力される。
【００２６】
<制御装置の説明>
制御装置110の機能を、図３に示すブロック図をもとに説明する。
【００２７】
メインコントローラ111は、主にCPU112と、バスコントローラ113、各種I/Fコントローラ回路とから構成される。
【００２８】
CPU112とバスコントローラ113は制御装置110全体の動作を制御するものであり、CPU112はROM120からROM I/F121を経由して読込んだプログラムに基いて動作する。また、ホストコンピュータから受信したPDL（ページ記述言語）コードデータを解釈し、ラスターイメージデータに展開する動作も、このプログラムに記述されており、ソフトウェアによって処理される。バスコントローラ113は各I/Fから入出力されるデータ転送を制御するものであり、バス競合時の調停やDMAデータ転送の制御を行う。
【００２９】
DRAM122はDRAM I/F123によってメインコントローラ111と接続されており、CPU112が動作するためのワークエリアや、画像データを蓄積するためのエリアとして使用される。
【００３０】
調歩同期シリアル通信コントローラ114はリーダー部200、プリンタ部300の各CPUとシリアルバス172，173を介して制御コマンドを送受信し、操作部180のタッチパネルやキー入力の通信を行う。
【００３１】
Network Contorller125はI/F127によってメインコントローラ111と接続され、コネクタ126によって外部ネットワークと接続される。ネットワークとしては一般的にイーサネット（登録商標）があげられる。
【００３２】
シリアルコネクタ124はメインコントローラ111と接続されて、外部機器との通信を行う。シリアルバスとしては一般的にUSBがあげられる。
【００３３】
FAN128はメインコントローラ111に接続され、コントローラ部110を冷却するのに用いる。
【００３４】
温度監視IC142はシリアルバス143によってメインコントローラ111に接続されている。温度監視IC142はFAN128の制御や、リアルタイムクロックモジュール137の温度補正等に用いられる。
【００３５】
汎用高速バス130には、拡張ボードを接続するための拡張コネクタ135とI/O制御部136，HDコントローラ131，Codec133とが接続される。汎用高速バスとしては、一般的にPCIバスがあげられる。
【００３６】
Codec133は、DRAM122に蓄積されたラスターイメージデータをMH/MR/MMR/JBIG/JPEG等の方式で圧縮し、また逆に圧縮され蓄積されたコードデータをラスターイメージデータに伸長する。SRAM134はCodec133の一時的なワーク領域として使用される。DRAM122との間のデータの転送は、バスコントローラ113によって制御されDMA転送される。
【００３７】
HDコントローラ131は、外部記憶装置を接続するためのものである。本実施例においては、このI/Fを介してハードディスクドライブ132を接続している。ハードディスクドライブ132はプログラムを格納したり、画像データを記憶するのに用いている。
【００３８】
I/O制御部136は、データバスの制御を行い、ポート145や割り込み146の制御を行う。
【００３９】
パネルI/F141は、LCDコントローラ140に接続され、操作部上の液晶画面に表示を行うためのI/Fと、ハードキーやタッチパネルキーの入力を行うためのキー入力I/Fとから構成される。
【００４０】
操作部は液晶表示部と液晶表示部上に張り付けられたタッチパネル入力装置と、複数個のハードキーを有する。タッチパネルまたはハードキーにより入力された信号は前述したパネルI/F171を介してCPU112に伝えられ、液晶表示部はパネルI/F141から送られてきた画像データを表示するものである。液晶表示部には、本画像形成装置の操作における機能表示や画像データ等を表示する。
【００４１】
リアルタイムクロックモジュール137は、機器内で管理する日付と時刻を更新/保存するためのもので、バックアップ電池138によってバックアップされている。
【００４２】
SRAM139はバックアップ電池138でバックアップされ、ユーザーモードや各種設定情報や、ハードディスクドライブ132のファイル管理情報等を蓄積している。
【００４３】
Graphic Processor151は、DRAM122に蓄積された画像データに対して、画像回転、画像変倍、色空間変換、二値化、スキャナ画像入力、プリンタ画像出力の処理を行う。DRAM152はGraphic Processor151の一時的なワーク領域として使用される。Graphic Processor151はI/F150を介してメインコントローラ111と接続され、DRAM122との間のデータの転送は、バスコントローラ113によって制御されDMA転送される。
【００４４】
コネクタ160と155は、それぞれリーダー部200とプリンタ部300とに接続され、同調歩同期シリアルI/F(173,172)とビデオI/F(163,162)とから構成される。
【００４５】
スキャナ画像処理157は、コネクタ160を介してリーダー部200と接続され、また、スキャナバス161によってGraphic Processor151と接続されており、リーダー部200から受け取った画像に対して所定の処理を施す機能を有し、さらに、リーダー部200から送られたビデオ制御信号をもとに生成した制御信号を、スキャナバス161に出力する機能も有する。
【００４６】
FIFO158はスキャナ画像処理157と接続され、リーダー部200から送られてくるビデオ信号のライン補正を行うのに用いられる。
【００４７】
プリンタ画像処理153は、コネクタ155を介してプリンタ部300と接続され、また、プリンタバス156によってGraphic Processor151と接続されており、Graphic Processor151から出力された画像データに所定の処理を施して、プリンタ部300へ出力する機能を有し、さらに、プリンタ部300から送られたビデオ制御信号をもとに生成した制御信号を、プリンタバス162に出力する機能も有する。
【００４８】
DRAM154はプリンタ画像処理153に接続され、ビデオ信号を一定時間遅延させるのに用いられる。
【００４９】
DRAM122上に展開されたラスターイメージデータのプリンタ部への転送は、バスコントローラ113によって制御され、Graphic Processor151、プリンタ画像処理153、コネクタ155を経由して、プリンタ部300へDMA転送される。
【００５０】
<スキャナ画像処理部の説明>
スキャナ画像処理157の詳細な説明を行う。図6はスキャナ画像処理157を担う部分の詳細な構成を示すブロック図を示す。
【００５１】
リーダー部200からコネクタ160を介して送られる画像信号に対して、つなぎ＆ＭＴＦ補正部601で読取速度に応じてライン毎の遅延量を調整し、読取速度によって変化したＭＴＦを補正する。ＣＣＤ218が３ラインＣＣＤの場合、つなぎ処理は３ラインの読取位置が同じになるように信号タイミングを補正する。FIFO158はライン遅延のバッファとして用いる。読取位置タイミングが補正されたデジタル信号は入力マスキング部602によって、ＣＣＤ218の分光特性及びランプ212及びミラー214、215、216の分光特性を補正する。入力マスキング部602の出力はACSカウント部603及びGraphic Processor151へと送られる。
【００５２】
<ACSカウント部の説明>
ACS（オートカラーセレクト）カウント部の説明を図５を用いて行う。
【００５３】
オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施例ではＡＣＳの方法にはこだわらない為、ごく一般的な手法で説明を行う。
【００５４】
前記したように、白黒画像でもミクロ的に見ると色画素が多数存在するわけであるから、その画素が本当に色画素であるかどうかは、注目画素に対して周辺の色画素の情報で判定する必要がある。501はそのためのフィルタであり、注目画素に対して周辺画素を参照する為にＦＩＦＯの構造をとる。502はメインコントローラ111からセットされた507〜510のレジスタに設定された値と、リーダー部200から送られたビデオ制御信号512を元に、ＡＣＳをかける領域信号505を作成する回路である。503の色判定部は、ＡＣＳをかける領域信号505に基づき、注目画素に対して501のフィルタ内のメモリ内の周辺画素を参照し、注目画素が色画素か白黒画素かを決定する為の色判定部である。504は503の色判定部が出力した色判定信号の個数を数えるカウンタである。
【００５５】
メインコントローラ111は読み込み範囲に対してＡＣＳをかける領域を決定し、507〜510のレジスタに設定する（本実施例では、原稿に対して独立で範囲を決める構成をとる）。また、メインコントローラ111はACSをかける領域内での色判定信号の個数を計数するカウンタの値を、所定の閾値と比較し、当該原稿がカラーなのか白黒なのかを判断する。
【００５６】
507〜510のレジスタには、主走査方向、副走査方向それぞれについて、色判定部503が判定を開始する位置、判定を終了する位置を、リーダー部200から送られたビデオ制御信号512に基づいて設定しておく。本実施例では、実際の原稿の大きさよりもそれぞれ10mm程度小さめに設定している。
【００５７】
<プリンタ画像処理部の説明>
プリンタ画像処理153を担う部分についての詳細な説明を行う。図７はプリンタ画像処理153の詳細な構成を示すブロック図を示す。
【００５８】
Graphic Processor151から、プリンタバス156を介して送られる画像信号は、まずＬＯＧ変換部701に入力される。ＬＯＧ変換部701では、ＬＯＧ変換でＲＧＢ信号からＣＭＹ信号に変換する。次にモアレ除去部702でモアレが除去される。703はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部703で処理された信号はγ補正部704で濃度調整された後フィルタ部705でスムージング又はエッジ処理される。出力切り替え706で、感光ドラム321〜324のドラム間の距離を補正する為にDRAM154にCMYK画像毎に一旦画像を蓄積し、ドラム間の距離を補正した画像をコネクタ155を介してプリンタ部300へとる。
【００５９】
<Graphic Processorの説明>
Graphic Processor151についての詳細な説明を行う。図8はGraphic Processor135の詳細な構成を示すブロック図である。
【００６０】
Graphic Processor151は、画像回転、画像変倍、色空間変換、二値化、スキャナ画像入力、プリンタ画像出力の処理をそれぞれ行うモジュールを有する。DRAM152はDRAMコントローラ808を介して各々のモジュールの一時的なワーク領域として使用される。各々のモジュールが用いるDRAM152のワーク領域が競合しないよう、あらかじめ各々のモジュールごとにワーク領域が静的に割り当てを行う。Graphic Processor151はI/F150を介してメインコントローラ111と接続され、DRAM122との間のデータの転送は、バスコントローラ113によって制御されDMA転送される。
【００６１】
バスコントローラ113は、GraphicProcessor151の各々のモジュールにモード等を設定する制御及び、各々のモジュールに画像データを転送するためのタイミング制御を行う。
【００６２】
入力インターフェース810はI/F150から入力された画像データをCrossBerSwitch809に入力する。画像データ形式は2値ラスターイメージデータ、多値ラスターイメージデータ、JPEG等を扱い、JPEG画像の場合は入力インターフェース810にてラスターイメージデータに変換してCrossBerSwitch809にデータ出力する。
【００６３】
出力インターフェース811はCrossBerSwitch809から入力された画像データをI/F150に出力する。CrossBerSwitch809から入力される画像データ形式はラスターイメージデータであるが、出力インターフェース811でJPEG圧縮を行ってI/F150にデータ出力することも行える。
【００６４】
<画像回転部の説明>
以下に画像回転部801における処理手順を示す。
【００６５】
I/F150を介して、CPU112からバスコントローラ113に画像回転制御のための設定を行う。この設定によりバスコントローラ113は画像回転部801に対して画像回転に必要な設定(たとえば画像サイズや回転方向・角度等)を行う。必要な設定を行った後に、再度CPU112からバスコントローラ113に対して画像データ転送の許可を行う。この許可に従い、バスコントローラ113はDRAM122もしくは各I/Fを介して接続されているデバイスから画像データの転送を開始する。尚、ここでは回転を行う画像サイズを32画素×32ラインとし、又、画像バス2008上に画像データを転送させる際に24byte（RGB各々8bitで1画素分）を単位とする画像転送を行うものとする。
【００６６】
上述のように、32画素×32ラインの画像を得るためには、上述の単位データ転送を32×32回行う必要があり、且つ不連続なアドレスから画像データを転送する必要がある。(図9参照)
不連続アドレッシングにより転送された画像データは、読み出し時に所望の角度に回転されているように、SRAM136に書き込まれる。例えば、90度反時計方向回転であれば、転送される画像データを、図10のようにY方向に書き込んでいく。読み出し時にX方向に読み出すことで、画像が回転される。
【００６７】
32画素×32ラインの画像回転(DRAM152への書き込み)が完了した後、画像回転部801はDRAM152から上述した読み出し方法で画像データを読み出し、バスコントローラ113に画像を転送する。
【００６８】
回転処理された画像データを受け取ったバスコントローラ113は、連続アドレッシングをもって、DRAM122もしくはI/F上の各デバイスにデータを転送する。
【００６９】
こうした一連の処理は、CPU112からの処理要求が無くなるまで(必要なページ数の処理が終わったとき)繰り返される。
【００７０】
<画像変倍部の説明>
以下に画像変倍部802における処理手順を示す。
【００７１】
I/F151を介して、CPU112からバスコントローラ113に画像変倍制御のための設定を行う。この設定によりバスコントローラ113は画像変倍部802に対して画像変倍に必要な設定(主走査方向の変倍率、副走査方向の変倍率、変倍後の画像サイズ等)を行う。必要な設定を行った後に、再度CPU112からバスコントローラ113に対して画像データ転送の許可を行う。この許可に従い、バスコントローラ113はDRAM122もしくは各I/Fを介して接続されているデバイスから画像データの転送を開始する。
【００７２】
画像変倍部802は、受け取った画像データを一時DRAM152に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度DRAM152へ書き戻し、これを出力バッファとして画像変倍部802はDRAM152から画像データを読み出し、バスコントローラ113に転送する。
【００７３】
変倍処理された画像データを受け取ったバスコントローラ113は、DRAM122もしくはI/F上の各デバイスにデータを転送する。
【００７４】
<色空間変換部の説明>
以下に色空間変換部803における処理手順を示す。
【００７５】
I/F150を介して、CPU112からバスコントローラ113に色空間変換制御のための設定を行う。この設定によりバスコントローラ113は色空間変換部803およびLUT（ルック・アップ・テーブル）804に対して色空間変換処理に必要な設定(後述のマトリックス演算の係数、LUT804のテーブル値等)を行う。必要な設定を行った後に、再度CPU112からバスコントローラ113に対して画像データ転送の許可を行う。この許可に従い、バスコントローラ113はDRAM122もしくは各I/Fを介して接続されているデバイスから画像データの転送を開始する。
色空間変換部803は、受け取った画像データ1画素ごとに対して、まず下記の式で表される3×3のマトリックス演算を施す。
【００７６】
【数１】
2006334931.tif 000003
上式において、R、G、Bが入力、X、Y、Zが出力、a11、a12、a13、a21、a22、a23、a31、a32、a33、b1、b2、b3、c1、c2、c3がそれぞれ係数である。
【００７７】
上式の演算によって、例えばRGB色空間からYuv色空間への変換など、各種の色空間変換を行うことができる。
【００７８】
次に、マトリックス演算後のデータに対して、LUT804による変換を行う。これによって、非線形の変換をも行うことができる。当然、スルーのテーブルを設定することにより、実質的にLUT変換を行わないこともできる。
【００７９】
その後、色空間変換部803は色空間変換処理された画像データをバスコントローラ113に転送する。
【００８０】
色空間変換処理された画像データを受け取ったバスコントローラ113は、DRAM122もしくはI/F上の各デバイスにデータを転送する。
【００８１】
<画像二値化部の説明>
以下に画像二値化部805における処理手順を示す。
【００８２】
I/F150を介して、CPU112からバスコントローラ113に二値化制御のための設定を行う。この設定によりバスコントローラ113は画像二値化部805に対して二値化処理に必要な設定(変換方法に応じた各種パラメータ等)を行う。必要な設定を行った後に、再度CPU112からバスコントローラ113に対して画像データ転送の許可を行う。この許可に従い、バスコントローラ113はDRAM122もしくは各I/Fを介して接続されているデバイスから画像データの転送を開始する。
【００８３】
画像二値化部805は、受け取った画像データに対して二値化処理を施す。本実施例では、二値化の手法としては、画像データを所定の閾値と比較して単純に二値化するものとする。もちろん、ディザ法、誤差拡散法、誤差拡散法を改良したものなど、いずれの手法によってもかまわない。
【００８４】
その後、画像二値化部805は二値化処理された画像データをバスコントローラ113に転送する。
【００８５】
二値化処理された画像データを受け取ったバスコントローラ113は、DRAM122もしくはI/F上の各デバイスにデータを転送する。
【００８６】
<スキャナ入力部の説明>
以下にスキャナ入力部806における処理手順を示す。
【００８７】
I/F150を介して、CPU112からバスコントローラ113にスキャナ入力制御のための設定を行う。この設定によりバスコントローラ113はスキャナ入力部806に対して必要な設定(入力処理に応じた各種パラメータ等)を行う。必要な設定を行った後に、再度CPU112からバスコントローラ113に対して画像データ転送の許可を行う。その後、スキャナ画像処理157から入力される同期信号に同期して画像データがスキャナ入力部806に入力される。スキャナ入力部806は受け取った画像データを入力バッファとして一旦DRAM152に格納する。その後スキャナ入力部はDRAM152に格納した画像をバスコントローラ113に転送する。スキャナ入力画像データを受け取ったバスコントローラ113は、DRAM122もしくはI/F上の各デバイスにデータを転送する。
【００８８】
<プリンタ出力部の説明>
以下にプリンタ出力部807における処理手順を示す。
【００８９】
I/F150を介して、CPU112からバスコントローラ113にプリンタ出力制御のための設定を行う。この設定によりバスコントローラ113はプリンタ出力部807に対して必要な設定(出力処理に応じた各種パラメータ等)を行う。必要な設定を行った後に、再度CPU112からバスコントローラ113に対して画像データ転送の許可を行う。この許可に従い、バスコントローラ113はDRAM122もしくは各I/Fを介して接続されているデバイスから画像データの転送を開始する。
【００９０】
プリンタ出力部807は受け取った画像データを一旦DRAM152に格納する。その後プリンタ画像処理153から入力される同期信号に応じてDRAM152に格納した画像をプリンタ画像処理部153に出力する。
【００９１】
［ソフトウェア］
システム全体
本発明のネットワークシステム全体の構成図を図11に示す。1001は本発明の装置で、後述するスキャナとプリンタから構成され、スキャナから読み込んだ画像をローカルエリアネットワーク1010（以下ＬＡＮ）に流したり、LANから受信した画像をプリンタによりプリントアウトできる。また、スキャナから読んだ画像を図示しないFAX送信手段により、PSTNまたはISDN（1030）に送信したり、PSTNまたはISDNから受信した画像をプリンタによりプリントアウトできる。1002は、データベースサーバで、本発明の装置1001により読み込んだ2値画像及び多値画像をデータベースとして管理する。1003は、データベースサーバ1002のデータベースクライアントで、データベース1002に保存されている画像データを閲覧/検索等できる。1004は、電子メールサーバで、本発明の装置1001により読み取った画像を電子メールの添付として受け取ることができる。1005は、電子メールのクライアントで、電子メールサーバ1004の受け取ったメールを受信し閲覧したり、電子メールを送信したり、可能である。1006がHTML文書をＬＡＮに提供するWWWサーバで、本発明の装置1001によりWWWサーバで提供されるHTML文書をプリントアウトできる。1007は、ルータでLAN1010をインターネット／イントラネット1012と連結する。インターネット／イントラネットに、前述したデータベースサーバ（1002）、WWWサーバ（1006）、電子メールサーバ（1004）、本発明の装置（1001）と同様の装置が、それぞれ1020、1021、1022、1023として連結している。一方、本発明の装置1001は、PSTNまたはISDN（1030）を介して、FAX装置1031と送受信可能になっている。また、LAN上にプリンタ1040も連結されており、本発明の装置1001により読み取った画像をプリントアウト可能なように構成されている。
【００９２】
ソフトウェアブロック全体構成
図12は、本発明を実施した複合機のソフトウエアブロック図である。
【００９３】
1501はUI即ちユーザインターフェイスを司るものであり、オペレータが本複合機の各種操作・設定を行う際、機器との仲介を行うモジュールである。本モジュールは、オペレータの操作に従い、後述の各種モジュールに入力情報を転送し処理の依頼、或いはデータの設定等を行う。
【００９４】
1502はAddress-Book即ちデータの送付先、通信先等を管理するデータベースモジュールである。Address-Bookの内容は、UI1501からの操作によりデータの追加、削除、取得が行われ、オペレータの操作により後述の各モジュールにデータの送付・通信先情報を与えるものとして使用されるものである。
【００９５】
1503はWeb-Serverモジュールであり、図外のWebクライアントからの要求により、本複合機の管理情報を通知するために使用される。管理情報は、後述のControll-API1518を介して読み取られ、後述のHTTP1512、TCP/IP1516、Network−Driver1517を介してWebクライアントに通知される。
【００９６】
1504はUniversal-Send即ち、データの配信を司るモジュールであり、UI1501によりオペレータに指示されたデータを、同様に指示された通信（出力）先に配布するものである。また、オペレータにより、本機器のスキャナ機能を使用し配布データの生成が指示された場合は、後述のControll-API1518を介して機器を動作させ、データの生成を行う。
【００９７】
1505はUniversal-Send1504内で出力先にプリンタが指定された際に実行されるモジュールである。
【００９８】
1506はUniversal-Send1504内で通信先にE-mailアドレスが指定された際に実行されるモジュールである。
【００９９】
1507はUniversal-Send1504内で出力先にデータベースが指定された際に実行されるモジュールである。
【０１００】
1508はUniversal-Send1504内で出力先に本機器と同様の複合機が指定された際に実行されるモジュールである。
【０１０１】
1509はRemote-Copy-Scanモジュールであり、本複合機のスキャナ機能を使用し、ネットワーク等で接続された他の複合機を出力先とし、本複合機単体で実現しているCopy機能と同等の処理を行うモジュールである。
【０１０２】
1510はRemote-Copy-Printモジュールであり、本複合機のプリンタ機能を使用し、ネットワーク等で接続された他の複合機を入力先とし、本複合機単体で実現しているCopy機能と同等の処理を行うモジュールである。
【０１０３】
1511はWeb-Pull-Print即ちインターネットまたはイントラネット上の各種ホームページの情報を読み出し、印刷するモジュールである。
【０１０４】
1512は本複合機がHTTPにより通信する際に使用されるモジュールであり、後述のTCP/IP1516モジュールにより前述のWeb-Server1503、Web-Pull-Print1511モジュールに通信を提供するものである。
【０１０５】
1513はlprモジュールであり、後述のTCP/IP1516モジュールにより前述のUniversal-Send1504内のプリンタモジュール1505に通信を提供するものである。
【０１０６】
1514はSMTPモジュールであり、後述のTCP/IP1516モジュールにより前述のUniversal-Send1504内のE-mailモジュール1506に通信を提供するものである。
【０１０７】
1515はSLM即ちSalutation-Managerモジュールであり、後述のTCP/IP1516モジュールにより前述のUniversal-Send1504内のデータベースモジュール1517、DPモジュール1518、及びRemote-Copy-Scan1509モジュール、Remote-Copy-Print1510モジュールに通信を提供するものである。
【０１０８】
1516はTCP/IP通信モジュールであり、前述の各種モジュールに後述のNetwork-Driverによりネットワーク通信を提供するものである。
【０１０９】
1517はネットワークドライバであり、ネットワークに物理的に接続される部分を制御するものである。
【０１１０】
1518はControll-APIであり、Universal-Send1504等の上流モジュールに対し、後述のJob-Manager1519等の下流モジュールとのインターフェイスを提供するものであり、上流、及び下流のモジュール間の依存関係を軽減しそれぞれの流用性を高めるものである。
【０１１１】
1519はJob-Managerであり、前述の各種モジュールよりControll-API1518を介して指示される処理を解釈し、後述の各モジュールに指示を与えるものである。また、本モジュールは、本複合機内で実行されるハード的な処理を一元管理するものである。
【０１１２】
1520はCODEC-Managerであり、Job-Manager1519が指示する処理の中でデータの各種圧縮・伸長を管理・制御するものである。
【０１１３】
1521はFBE-Encoderであり、Job-Manager1519、Scan-Manager1524により実行されるスキャン処理により読み込まれたデータをFBEフォーマットにより圧縮するものである。
【０１１４】
1522はJPEG-CODECであり、Job-Manager1519、Scan-Manager1524により実行されるスキャン処理、及びPrint-Manager1526により実行される印刷処理において、読み込まれたデータのJPEG圧縮及び印刷データのJPEG展開処理を行うものである。
【０１１５】
1523はMMR-CODECであり、Job-Manager1519、Scan-Manager1524により実行されるスキャン処理、及びPrint-Manager1526により実行される印刷処理において、読み込まれたデータのMMR圧縮及び印刷データのMMR伸長処理を行うものである。
【０１１６】
1524はScan-Managerであり、Job-Manager1519が指示するスキャン処理を管理・制御するものである。
【０１１７】
1525はSCSIドライバであり、Scan-Manager1524と本複合機が内部的に接続しているスキャナ部との通信を行うものである。
【０１１８】
1526はPrint-Managerであり、Job-Manager1519が指示する印刷処理を管理・制御するものである。
【０１１９】
1527はEngine-I/Fドライバであり、Print-Manager1526と印刷部とのI/Fを提供するものである。
【０１２０】
1528はパラレルポートドライバであり、Web-Pull−Print1511がパラレルポートを介して図外の出力機器にデータを出力する際のI/Fを提供するものである。
【０１２１】
アプリケーション
以下、本発明の組み込みアプリケーションの実施の形態について図面を用いて説明する。
【０１２２】
図32は、本発明の配信に関する組み込みアプリケーションブロックを表すものである。
【０１２３】
4050は、図13で説明した本発明の操作部アプリケーションを示すブロックである。
【０１２４】
4100は、リモートコピーアプリケーションの送信側を示すブロック図である。
【０１２５】
4150は、同報配信の送信側を示すブロック図である。
【０１２６】
4200は、Web Pull Printモジュールを示すブロック図である。
【０１２７】
4250は、Web Serverモジュールを示すブロック図である。
【０１２８】
4300は、リモートコピーの受信側（プリント側）を示すブロック図である。
【０１２９】
4350は、同報配信で送信されてきたイメージを汎用のプリンタで受信・プリントするブロック図である。
【０１３０】
4400は、リモートプリントの受信側（プリント側）を示すブロック図である。
【０１３１】
4100は、同報配信で送信されてきたイメージを公知のNotes Serverで受信・格納するブロック図である。
【０１３２】
4500は、同報配信で送信されてきたイメージを2値のイメージを受信・格納するブロック図である。
【０１３３】
4550は、同報配信で送信されてきたイメージを公知のMail Serverで受信・格納するブロック図である。
【０１３４】
4600は、同報配信で送信されてきたイメージを多値のイメージを受信・格納するブロック図である。
【０１３５】
4650は、情報コンテンツを含んだ、公知のWeb Serverを示す図である。
【０１３６】
以下、それぞれのブロックに照らし合わせながら、アプリケーション群の説明を詳細に行う。
【０１３７】
User Interface アプリケーション
4050ブロックに示したUser Interface（以下、UI）の詳細は、前記したとおりであるが、ここでは、4051のAddress Bookについて説明する。このAddress Bookは、本発明の機器内の不揮発性の記憶装置（不揮発性メモリやハードディスクなど）に保存されており、この中には、ネットワークに接続された機器の特徴が記載されている。例えば、以下に列挙するようなものが含まれている。
【０１３８】
機器の正式名やエイリアス名
機器のネットワークアドレス
機器の処理可能なネットワークプロトコル
機器の処理可能なドキュメントフォーマット
機器の処理可能な圧縮タイプ
機器の処理可能なイメージ解像度
プリンター機器の場合の給紙可能な紙サイズ、給紙段情報
サーバー（コンピューター）機器の場合のドキュメントを格納可能なフォルダ名
以下に説明する各アプリケーションは、上記Address Book4051に記載された情報により配信先の特徴を判別することが可能となる。
【０１３９】
また、このAddress Bookは、編集可能であると共に、ネットワーク内のサーバーコンピュータなどに保存されているものをダウンロードして使用する、または、直接参照することも可能である。
【０１４０】
リモートコピーアプリケーション
リモートコピーアプリケーションは、配信先に指定された機器の処理可能な解像度情報を前記Address Book4051より判別し、それに従い、スキャナにより読みとった画像2値画像を公知のMMR圧縮を用いて圧縮し、それを公知のTIFF(Tagged Image File Format)化し、SLM4103に通して、ネットワーク上のプリンター機器に送信する。SLM4103とは、詳細には説明しないが、公知のSalutation Manager（または、Smart Link Manager）と呼ばれる機器制御情報などを含んだネットワークプロトコルの一種である。
【０１４１】
同報配信アプリケーション
同報配信アプリケーションは、前記リモートコピーアプリケーションと違い、一度の画像走査で複数の配信宛先に画像を送信する事が可能である。また、配信先もプリンター機器にとどまらず、いわゆるサーバーコンピューターにも直接配信可能である。
【０１４２】
以下、配信先に従って純に説明する。
【０１４３】
配信先の機器が公知のネットワークプリンタプロトコルであるLPD(Line Printer Daemon)、プリンタ制御コマンドとして公知のLIPSを処理可能だとAddress Book4051より判別した場合、同様にAddress Book4051より判別した画像解像度に従って画像読み取りを行い、画像自体は、本実施例では、公知のFBE(First Binari Encoding)を用いて圧縮し、さらにLIPSコード化して、公知のネットワークプリンタプロトコルであるLPRで相手機器に送信する。
【０１４４】
配信先の機器が前記SLMで通信可能で、サーバー機器の場合、Address Book4051より、サーバーアドレス、サーバー内のフォルダの指定を判別し、リモートコピーアプリケーションと同様に、スキャナにより読みとった画像2値画像を公知のMMR圧縮を用いて圧縮し、それを公知のTIFF(Tagged Image File Format)化し、SLMを通して、ネットワーク上のサーバー機器の特定のフォルダに格納する事が可能である。
【０１４５】
また、本実施例の機器では、相手機器であるサーバーが公知のJPEG圧縮された多値画像を処理可能だと判別した場合、前記の2値画像と同様に多値読み取りした画像を公知のJPEG圧縮を用いて、やはり公知のJFIF化し、SLMを通して、ネットワーク上のサーバー機器の特定のフォルダに格納する事が可能である。
【０１４６】
配信先の機器が公知のE-Mailサーバーである場合、Address Book4051に記載されたメールアドレスを判別し、スキャナにより読みとった画像2値画像を公知のMMR圧縮を用いて圧縮し、それを公知のTIFF(Tagged Image File Format)し、公知のSMTP(Simple Mail Transfer Protcol)4153を使用して、E-Mailサーバーに送信する。その後の配信は、Mail Server4550に従って実行される。
【０１４７】
操作部概要
操作部180の構成を図13に示す。LCD表示部(3001)は、LCD上にタッチパネルシートが貼られており、システムの操作画面を表示するとともに、表示してあるキーが押されるとその位置情報をコントローラCPUに伝える。スタートキー(3002)は原稿画像の読取り動作を開始する時などに用いる。スタートキー中央部には、緑と赤の２色LEDがあり、その色によってスタートキーが使える状態にあるかどうかを示す。ストップキー(3003)は稼働中の動作を止める働きをする。IDキー(3004)は使用者のユーザーIDを入力するときに用いる。リセットキー(3005)は操作部からの設定を初期化するときに用いる。
【０１４８】
以下で操作部の各画面について詳細に説明する。
【０１４９】
操作画面
本発明の装置が提供する機能は、Copy/ Send/ Retrieve/ Tasks/ Management/ Configurationの6つの大きなカテゴリーに分かれており、これらは操作画面(図14)上の上部に表示される6つのメインタブ（COPY/SEND/RETREIVE/TASKS/MGMT/CONFIG）(3011〜3016)に対応している。これらのメインタブを押すことにより、各カテゴリーの画面への切り替えが行われる。他カテゴリーへの切り換えが許可されない場合は、メインタブの表示色が変わり、メインタブを押しても反応しない。
【０１５０】
Copyは自機が有するスキャナとプリンタを使用して通常のドキュメント複写を行う機能と、自機が有するスキャナとネットワークで接続されたプリンタを使用してドキュメントの複写を行う機能（リモートコピー）を含む。Sendは自機が有するスキャナに置かれたドキュメントを、電子メール、リモートプリンタ、ファックス、ファイル転送（FTP）およびデータベースに転送する機能であり、宛先を複数指定することが可能である。Retrieveは外部にあるドキュメントを取得し、自機が有するプリンタで印刷する機能である。ドキュメントの取得手段としてWWW、電子メール、ファイル転送およびファックスの使用が可能である。Tasksはファックスやインターネットプリントなどの外部から送られるドキュメントを自動処理し、定期的にRetrieveを行うためのタスクの生成、管理を行う。Managementはジョブ・アドレス帳・ブックマーク・ドキュメント・アカウント情報などの管理を行う。Configurationでは自機に関しての設定（ネットワーク、時計など）を行う。
【０１５１】
以下、これらの機能設定を行う方法をLCD画面表示の例を使用して説明する。
【０１５２】
ID入力画面
電源投入直後およびIDキー押下時にID入力画面が表示される。ID入力画面でユーザIDおよびパスワードを正しく入力し、OKボタンを押すと、前述の操作画面が表示され、操作が可能になる。ID入力領域とパスワード入力領域の切り換えは、入力領域を直接押すことで切替えることができる。
【０１５３】
COPY画面
COPY画面表示時にスタートボタンを押すと、スキャナが動作し、選択されているプリンタから画面上に表示されている各設定パラメータに応じた複写物が出力される。
【０１５４】
COPYメイン画面(図15)はプリンタ選択ボタン(3103)およびプリンタ表示領域(3102)、Image Quality選択ボタン(3105)およびImage Quality表示領域(3104)、従来の複写機と同様のコピーパラメータ表示(3101)、拡大縮小設定ボタン(3106,3107)、紙選択ボタン(3108)、ソータ設定ボタン(3110)、両面コピー設定ボタン(3112)、濃度インジケータおよび濃度設定ボタン(3109)、テンキー(3114)から構成される。
【０１５５】
プリンタ選択ボタン(3103)を押すと、使用可能なプリンタ（自機が有するプリンタおよびネットワークで接続されたプリンタ）の一覧(3120)がプルダウン表示される。一覧の中から所望のプリンタを選択すると、一覧が消え、プリンタ表示領域(3102)に選択したプリンタ名が表示される。
【０１５６】
Image Quality設定ボタン(3105)を押すと、Image Quality一覧が表示され、その中から所望のImage Qualityを選択することができる。
【０１５７】
前述のコピーパラメータ設定ボタンを押すと、それぞれに対応した設定を行うためのサブ画面（拡大縮小設定、紙選択、ソータ設定、両面コピー設定）が表示され、従来の複写機での設定と同様にパラメータを設定することができる。また濃度設定も従来の複写機と同様に操作することができる。
【０１５８】
SEND画面
Send画面表示時にスタートボタンが押されると、スキャナが動作し、読取った画像データを設定された宛先に指定された送信方法で送信する処理が開始される。
【０１５９】
SENDメイン画面(図16)は、宛先表示領域(3202)、詳細宛先数表示領域(3203)、宛先スクロールボタン(3204)、アドレスブックボタン(3208) 、Newボタン(3209)、Editボタン(3210)、Deleteボタン(3211)、Subject入力領域(3205)、Message入力領域(3206)、File Name入力領域(3207)、Cover pageチェックボタン(3212)、Put Into HDチェックボタン(3213) 、Print Outチェックボタン(3214) 、Scan Settingボタン(3215)から構成される。リセットを含む初期化時には図17に示すように、宛先表示領域には1つの宛先も表示されず、操作説明画面が表示される。
【０１６０】
宛先表示領域(3202)には入力された宛先の一覧が表示される。入力は順次末尾に追加される。詳細宛先数表示領域(3203)には現在設定されている宛先数が表示される。
【０１６１】
宛先表示領域からある宛先を選択した後、Deleteボタン(3211)を押すと、選択されていた宛先が削除される。
【０１６２】
Subject入力領域(3205)、Message入力領域(3206)、File Name入力領域(3207)を押すと、フルキーボードが表示され、それぞれの入力が可能になる。
【０１６３】
アドレスブックサブ画面
Address Bookボタン(3208)を押すと、アドレスブックサブ画面(図18)が表示される。アドレス帳表示領域(3221)で選択マーク(3232)を付けられた宛先は、OKボタン(3231)を押すことにより、SENDメイン画面の宛先表示領域(3202)に追加される。アドレス帳の表示はソート項目設定ボタン(3224〜3226)を押すことによりクラス別、名前昇順、名前降順にソートされる。項目選択件数表示領域(3227)には選択マークの付けられた項目数を表示する。
【０１６４】
OKボタン(3231)またはキャンセルボタン(3230)が押されると、アドレスブックサブ画面はクローズされ、SENDメイン画面が表示される。
【０１６５】
アドレス帳の中の1つの項目を選択した状態でDetailボタン(3229)を押すと、Detailサブ画面(図19)が表示される。Detailサブ画面には選択された項目の情報としてアドレス帳から得られるすべての情報が表示される。
【０１６６】
詳細宛先サブ画面
SENDメイン画面のNewボタン(3209)を押すとPersonクラス詳細サブ画面(図20)が表示され、新しい宛先の設定が可能になる。宛先の入力は送信方法（電子メール、ファックス、プリンタ、FTP）に対応した送信方法選択ボタン(3271〜3274)を押すか、詳細宛先入力領域(3275〜3278)を押すと、ファックスの場合はテンキーボード、その他はフルキーボードが表示され、入力可能になる。3279〜3282はそれぞれの送信方法の送信オプションを行うためのボタンであるが、ここでは詳細な説明は省略する。
【０１６７】
SENDメイン画面でPersonクラスの宛先が選択されている状態でEditボタン(3210)が押された場合もPersonクラス詳細サブ画面(図21)が表示される。詳細宛先入力領域(3275〜3278)の該当する領域に、選択された宛先の詳細が表示され、前述した方法でキーボードを表示すると、宛先の編集が可能になる。
【０１６８】
SENDメイン画面でData Baseクラスの宛先が選択されている状態でEditボタン(3210)が押された場合、Data Baseクラス詳細サブ画面(図22)が表示される。データベースクラス詳細サブ画面にはデータベース名(3311)、フォルダリスト(3312)が表示される。
【０１６９】
SENDメイン画面でGroupクラスの宛先が選択されている状態でEditボタン(3210)が押された場合Groupクラス詳細サブ画面(図23)が表示される。Groupクラス詳細サブ画面にはグループメンバー表示(3321)がされる。
【０１７０】
HD SETTINGサブ画面
Put Into HDチェックボタン(3213)を押すと、ハードディスクに送信するための設定を行うHD SETTINGサブ画面(図24)が表示される。詳細説明は省略する。
【０１７１】
Print Outサブ画面
Print Outチェックボタン(3214)を押すと、プリントアウトサブ画面(図25)が表示される。プリントアウトサブ画面ではプリント枚数、紙サイズ、拡大縮小率、両面印刷、ソート、解像度などを設定する。紙サイズ選択ボタン(3345)を押すと、紙サイズの一覧が表示され、そこから選択する。ソータ選択ボタンを押すと、選択可能なソータ一覧が表示される。
【０１７２】
Scan Settingサブ画面
Scan Settingボタン(3215)を押すと、 Scan Settingサブ画面(図26)が表示される。 Scan Settingサブ画面内のPresetモード選択領域(3371)からスキャン設定を1つ選択すると、それに対応する予め設定された解像度、スキャンモード、濃度がそれぞれの表示領域(3377、3379、3381)に表示される。これらの値は手動で変えることが可能である。
【０１７３】
RETRIEVE画面
RETRIEVEメイン画面(図27)にはWWW(3401)、E-mail(3402)、Fax(3403)、FTP(3404)のサブタブおよび各サブカテゴリーで共通に使用されるPUT INTO HDチェックボタン(3405)、PRINT SETTINGボタン(3406)が表示される。サブタブを押すことによって対応するWWW、E-mail、Fax、FTPの各サブ画面が表示される。リセットを含む初期化時にはWWWサブ画面が表示される。
【０１７４】
E-mailサブ画面
E-mailサブ画面(図28)ではE-mailを受け取るための設定を行う。各入力領域を押すとフルキーボードが表示され、入力可能になる。
【０１７５】
Faxサブ画面
Faxサブ画面(図29)ではファックス番号の入力を行う。入力領域(3441)を押すと、テンキーボードが表示され、ファックス番号入力が可能になる。
【０１７６】
FTP Serverサブ画面
FTP Serverサブ画面(図30)ではサーバからデータを受け取るための設定を行う。各入力領域(3451〜3453)を押すとフルキーボードが表示され、入力可能になる。
【０１７７】
HD Settingサブ画面
各カテゴリーに共通のPut Into HDチェックボタン(3406)を押すと、HD Settingサブ画面(図24)が表示される。機能はSendのHD Settingサブ画面と同様である。
【０１７８】
TASKS画面
TASKS画面が表示されている状態でスタートキーが押されると、TASKS画面上で設定されたパラメータに従って、自動的なRETRIEVE動作が実行される。
【０１７９】
TASKSメイン画面(図31)にはWWW、E-mail、Print Receive、Fax Receive、Fax Pollingのサブタブ(3501〜3505)が表示される。リセットを含む初期化時にはWWWサブ画面(図31)が表示される。
【０１８０】
<画像出力時のシーケンス>
図３３は、本実施例における省エネモードからの復帰及び、画像出力の手順を示すフローチャートである。なお、図中のＳ５００１〜Ｓ５０１１は、各ステップを示す。
【０１８１】
本実施例においては、複数のホストと複数の複合機及びプリンタがネットワークで接続されている。
【０１８２】
まずＳ５００１より、装置は省エネモードの状態であり、この場合の省エネモードは、ネットワークインターフェースに支障の出ない部分の電源は全てカットされており、必要最小限の電力しか消費されないように制御されている。
【０１８３】
Ｓ５００２において、ネットワークを介してステータスの要求が来た場合、ネットワークインターフェース部はその要求を受け付け、ＣＰＵに対して割り込みを発生させる。
【０１８４】
割り込みによって起動されたＣＰＵは、Ｓ５００３よりステータスの要求のあったホストが、通常使用されているホストか否かの判断を行う。
【０１８５】
ここでの判断基準として、ネットワークに接続されている各ホストに対して、普段から使用されているか否か等の履歴と使用頻度の統計をデータとして蓄えておき、その情報を元に接続されているホストをランク分けしておく。
【０１８６】
ランク分けされたホストは、通常使用されるホストとそうでないホストに分けられ、通常使用されるホストに対ししては、Ｓ５００４に進み、そうでないホストに対しては、Ｓ５００６に進む事になる。
【０１８７】
ここでのホストのランク分けは、履歴や統計等が更新されると、それに応じてホストのランクも変化し、常ね最新の情報で制御する方式も行えるし、ホストやパネル等から各ホストのランクを最初から設定しておき、その設定されたランクに応じて制御する構成をとっても良い。
【０１８８】
Ｓ５００４においては、プリント部に対して、電源の供給が行われスタンバイ状態へと、状態を変化させる。
【０１８９】
次にＳ５００５で、ホストから画像データが転送されるのを待ち、画像データが転送された処で、Ｓ５００９よりプリントが開始される。
【０１９０】
プリントする場合には、Ｓ５０１０より、入力された画像データを、プリント部３００の特性に応じた画像処理が施され、Ｓ５００８より、前記画像処理が施された、画像データをプリント部から送られる同期信号に同期して転送する事により、プリントが開始され、画像データが送り終わった処でプリント終了となる
Ｓ５００６においては、ホストに対してステータスを返信した後、省エネモードで待機する事により電力の消費を抑える。
【０１９１】
Ｓ５００７では、省エネモードで待機中にプリント命令が来た時には、Ｓ５００８より、省エネモードを解除しプリント動作へと移行し、Ｓ５００９でプリント開始となる。
【実施例２】
【０１９２】
図３４は、本実施例におけるスタンバイ状態から省エネモードに移行する手順を示すフローチャートである。なお、図中のＳ６００１〜Ｓ６００６は、各ステップを示す。
【０１９３】
まずＳ６００１より、装置がスタンバイ状態である場合には、Ｓ６００２に移行し、スタンバイ状態になってからの時間がカウントされる。
【０１９４】
ここでスタンバイ状態から省エネモードに移行する時間は、予め定められた時間またはホストやパネル上から設定された時間が使用される。
【０１９５】
前記設定された時間がカウント終了するまでに、ホストから何も要求がなければ、Ｓ６００６に移行し省エネモードに状態を変化させる。
【０１９６】
Ｓ６００２において、Ｓ６００３のステータス要求があった場合には、Ｓ６００３よりホストの確認が行われる。
【０１９７】
ここでのホストの分け方も実施例１と同様に、ステータスの要求のあったホストが通常使用されているホストか否かの判断が行われ、通常使用されていないホストであった場合には、Ｓ６００２に戻り、時間をカウントしているカウンタの情報がそのまま継続される。
【０１９８】
通常使用しているホストと判断された場合には、Ｓ５００６に進み、時間をカウントしているカウンタの値がクリアされＳ６００２に戻る事になる。
【０１９９】
この様に制御する事により、通常使用されているホストがステータスの要求を行っている時には、スタンバイ状態を維持し、それ以外のホストがステータスの要求を行っても省エネモードに移行するタイミングを邪魔される事なく制御する事が出来る。
【図面の簡単な説明】
【０２００】
【図１】図１は、本装置の全体構成を示すブロック図である。
【図２】本装置のリーダ部及びプリンタ部の外観図である。
【図３】本装置の制御装置部のブロック図である。
【図４】リーダー画像処理部のブロック図である。
【図５】ACSカウント部のブロック図である。
【図６】スキャナI/Fの画像処理に関する部分のブロック図である。
【図７】プリンタI/Fの画像処理に関する部分のブロック図である。
【図８】Graphic Processorのブロック図である。
【図９】画像回転部の動作を説明する図である。
【図１０】画像回転部の動作を説明する図である。
【図１１】ネットワークシステム全体の構成図。
【図１２】本システムのソフトウェアの全体構成図。
【図１３】操作部の各画面。
【図１４】操作画面。
【図１５】COPYメイン画面。
【図１６】SENDメイン画面。
【図１７】SEND初期画面。
【図１８】アドレスブックサブ画面。
【図１９】詳細情報画面。
【図２０】詳細宛先(New)。
【図２１】詳細宛先(Person)。
【図２２】詳細宛先(Data Base)。
【図２３】詳細宛先(Group)。
【図２４】ハードディスク設定画面。
【図２５】プリント設定画面。
【図２６】スキャン設定画面。
【図２７】RETRIEVEメイン画面。
【図２８】E-mail画面。
【図２９】FAX画面。
【図３０】FTP画面。
【図３１】TASKSメイン画面。
【図３２】組み込みアプリケーション説明のブロック図。
【図３３】本実施例のフローチャート。
【図３４】第二の実施例のフローチャート。
【図１】
2006334931.tif 000004
【図２】
2006334931.tif 000005
【図３】
2006334931.tif 000006
【図４】
2006334931.tif 000007
【図５】
2006334931.tif 000008
【図６】
2006334931.tif 000009
【図７】
2006334931.tif 000010
【図８】
2006334931.tif 000011
【図９】
2006334931.tif 000012
【図１０】
2006334931.tif 000013
【図１１】
2006334931.tif 000014
【図１２】
2006334931.tif 000015
【図１３】
2006334931.tif 000016
【図１４】
2006334931.tif 000017
【図１５】
2006334931.tif 000018
【図１６】
2006334931.tif 000019
【図１７】
2006334931.tif 000020
【図１８】
2006334931.tif 000021
【図１９】
2006334931.tif 000022
【図２０】
2006334931.tif 000023
【図２１】
2006334931.tif 000024
【図２２】
2006334931.tif 000025
【図２３】
2006334931.tif 000026
【図２４】
2006334931.tif 000027
【図２５】
2006334931.tif 000028
【図２６】
2006334931.tif 000029
【図２７】
2006334931.tif 000030
【図２８】
2006334931.tif 000031
【図２９】
2006334931.tif 000032
【図３０】
2006334931.tif 000033
【図３１】
2006334931.tif 000034
【図３２】
2006334931.tif 000035
【図３３】
2006334931.tif 000036
【図３４】
2006334931.tif 000037